(57)【要約】【課題】粘着作業性及び清拭作業の能率化を図った粘着テープローラー掃除具の提供。【解決手段】粘着テープローラーＡ，Ｂを着脱自在に備える支持回転筒１ａ，１ｂを前後二連に配し、それぞれの支持回転筒１ａ，１ｂに回転自在の挿通できる軸を連杆部３でコ字状に形成し、この連杆部３より斜め上方に支持杆４を突設し、先端に把持部５を設けて成ることを特徴とする二連型多用粘着テープローラー掃除具。【選択図】図１
2012120779.tif 000002
【特許請求の範囲】
【請求項１】
粘着テープローラーを着脱自在に備える支持回転筒を前後二連に配し、それぞれの支持回転筒に回転自在の挿通できる軸を連杆部でコ字状に形成し、この連杆部より斜め上方に支持杆を突設し、先端に把持部を設けて成ることを特徴とする二連型多用粘着テープローラー掃除具。
【請求項２】
請求項１記載の二連型多用粘着テープローラー掃除具において、連杆部に設けられる支持杆は可傾自在とし、床面との傾斜角度を自由に決定できるようにして成ることを特徴とする二連型多用粘着テープローラー掃除具。
【請求項３】
請求項１記載の二連型多用粘着テープローラー掃除具において、連杆部に設けられる支持杆は、下部で分割して短，長二段階に変形可能に形成して成ることを特徴とする二連型多用粘着テープローラー掃除具。
【発明の詳細な説明】
【技術分野】
【０００１】
本発明は、床面特にマットとか絨毯表面の清掃を目的とする二連型多用粘着テープローラー掃除具に関する。
【背景技術】
【０００２】
この種の粘着テープローラー掃除具は、例示するまでもなく、従来より今日に至るまで永く使用されている。
【０００３】
そして、多くは柄の先端の折曲部に円筒状の粘着テープローラーを着脱自在に装着し、床面のゴミを粘着テープローラーで付着させて、粘着テープを汚損した部分を剥取して、新しい粘着テープを露出させ反覆使用している（例えば、特許文献１参照）。
【０００４】
上述の単体の粘着テープローラーに対して、巻き取り用ローラーを組込んで、前後に並設し、かつ中間に歯車を介在させて、前方のローラーをゴミ粘着テープローラーとし、この前方のローラーと後方の巻き取りローラーとして二連に構成し、一旦ゴミを粘着した前方のゴミ粘着ローラーのシートを後方の巻き取りローラーに巻きつけて、常に新しい粘着ローラー部分を使用し、汚れたシート部分を反覆使用することなく、後方の巻き取りローラーに巻き付けて、清掃作業の効率性を図ったものも知られている（例えば、特許文献２参照）。
【先行技術文献】
【特許文献】
【０００５】
【特許文献１】特開２００２−３６３５１８号公報
【特許文献２】実用新案登録第３０７７３３４号公報
【発明の概要】
【発明が解決しようとする課題】
【０００６】
特許文献１にあっては、単一の粘着テープローラーを反覆使用するため、汚れの付着度合が激しく、粘着性の劣化度合が早く、剥取して新しい粘着テープ部分を露出させないと有効な清掃ができないという不都合があった。
【０００７】
また特許文献２にあっては、前方のゴミ粘着テープローラーの使用済みの粘着シートは、その都度後方の巻き取りローラーに巻き取らせているので、粘着シートは常に新しい状態で使用できる特徴があるが、同一場所での前後転動させることはできず、操作性が悪く、使用性も馴染めず、その上、粘着テープの使用度合が一回だけで交換しなければならないなど無駄が避けられないなどの不都合があった。
【０００８】
本発明は、叙上の点に着目してなされてもので、同一機能を有する粘着テープローラーを前後に連設し、この二連の粘着テープローラーを同時に使用したり、前後の粘着テープローラーを各別に使用可能とし、効率的な清掃作業ができるようにした二連型多用粘着テープローラー掃除具を提供することを目的とする。
【０００９】
さらに、把手杆の長さを短，長二様での使用を可能とすると共に、二連の粘着テープローラーの支持軸に対して可傾可能とし、さらに、清掃面に対し任意の好みの角度で調節自在とした二連型多用粘着テープローラー掃除具を提供することを目的とする。
【課題を解決するための手段】
【００１０】
この発明は下記の構成を備えることにより上記課題を解決できるものである。
【００１１】
（１）粘着テープローラーを着脱自在に備える支持回転筒を前後二連に配し、それぞれの支持回転筒に回転自在の挿通できる軸を連杆部でコ字状に形成し、この連杆部より斜め上方に支持杆を突設し、先端に把持部を設けて成ることを特徴とする二連型多用粘着テープローラー掃除具。
【００１２】
（２）前項（１）記載の二連型多用粘着テープローラー掃除具において、連杆部に設けられる支持杆は可傾自在とし、床面との傾斜角度を自由に決定できるようにして成ることを特徴とする二連型多用粘着テープローラー掃除具。
【００１３】
（３）前項（１）記載の二連型多用粘着テープローラー掃除具において、連杆部に設けられる支持杆は、下部で分割して短，長二段階に変形可能に形成して成ることを特徴とする二連型多用粘着テープローラー掃除具。
【発明の効果】
【００１４】
本発明によれば、粘着テープローラーが前後二連で配設されているので、汚れた畳，絨毯，マットなどの床面に対して、前方の粘着テープローラーが清拭した後に、後方の粘着テープローラーが追随して所謂２段階での清掃が可能となり、清掃効果が能率よく行えると共に、支持杆の床面角度を変えることにより、前方又は後方のいずれかの粘着テープローラーのみを働かせた清拭ができるという効果もある。
【００１５】
前後の粘着テープローラーを同時に併用する時は、前方の粘着テープローラーの方が後方の粘着テープローラーよりも概して早く汚れ状態が進むという問題が生ずるが、汚れた前方の粘着テープローラーの粘着テープが剥取された場合は、新しい粘着テープローラーに取り替えて連続して使用できるし、前後の粘着テープローラーを各別に交互に使用すれば、略均等に前後の汚れた粘着テープが剥取された粘着テープローラーを新しい粘着テープローラーと交換して同様に継続して使用できる。
【００１６】
さらに、支持杆の傾斜角度、即ち、床面との傾斜角度を使用者の好みの角度に可傾自在であるので、背丈の大きい人や、小さい人に対しても自由に変形して清拭できるので、従来の固定した傾斜角度と異なり、極めて使用心地良く、作業が可能となると共に、併せて支持杆の長さを長短自在に変形できるので、座った儘での短尺な支持杆として床面以外の毛布や座布団などの手回りの清拭掃除が可能のとなり、また起立して歩行し乍ら清拭する時は長尺な支持杆として使用できるなど多用性があり、変化に富んだ清拭作業ができるなどの効果を有する。
【図面の簡単な説明】
【００１７】
【図１】本発明の一実施例を示す二連型多用粘着テープローラーの側面図
【図２】図１の平面図
【図３】（ａ），（ｂ），（ｃ），（ｄ）  本発明に係る二連型多用粘着テープローラーの使用状態の四例を示す側面説明図
【図４】支持杆の傾斜支持状態を示す要部の拡大図で、（ａ）は正面図、（ｂ）は縦断説明図、（ｃ）は（ｂ）のｃ−ｃ線断面図
【発明を実施するための形態】
【００１８】
以下に、本発明の一実施例を図面と共に説明する。
【実施例１】
【００１９】
図面において、１ａ，１ｂは、前後に間隔ｌを置いて配設される同一構成の前後の支持回転筒、２ａ，２ｂは前記支持回転筒１ａ，１ｂの軸上に両支持回転筒１ａ，１ｂを回転自在に挿通させた軸、３は前記軸２ａ，２ｂを連結する連杆部を示し、この連杆部３と前記軸２ａ，２ｂとは一本の金属杆を以ってコ字状に曲折して一体的に形成するのが好ましい。
【００２０】
４は、前記連杆部３に端部を一体的に固着した支持杆であって、連杆部３に対し、傾斜角度αを以って斜め上方に向けて設けてある。この実施例では、支持杆４は連杆部３に対して基端４ａを一体的に熱熔接して、約４５度の角度で傾斜させて設けてあり、支持杆４は短，長二様に変化可能の構成で形成してある。なお、支持杆４の連杆部３との固着は、他の方法によっても実施できる。
【００２１】
即ち、短尺の場合は、支持杆４の長さは短く形成し、頂端部に把持部５を設けて使用者が座った低い位置での状態での使用を可能とすると共に、使用者が起立状態の使用の場合は、把持部５の挿込孔６内に補助用の長尺な支持杆４Ａの下端部を挿通して、係止片によって挿着状態を確実にした状態で前記支持杆４Ａの把持部５を使用者が把持して自由に使用できる。
【００２２】
なお、Ａ，Ｂは、前後の支持回転筒１ａ，１ｂに挿着抜取自在の粘着テープローラーであって、粘着剤を塗着した紙等の基材を剥離自在に巻き込んで、汚れた部分を部分的に剥取できる広く市販されている既製品のものを使用している。
【００２３】
叙上の構成に基づいて作用を説明する。
【００２４】
図３は、（ａ）は通常の場合、（ｂ），（ｃ），（ｄ）は他の３種類の使い方を示す。
【００２５】
（ａ）の一般的な場合は、前後の粘着テープローラーＡ，Ｂを同時に清拭面Ｓに沿って使用する場合であって、矢符の通り清拭面Ｓに沿って前後に往復動させてゴミ等の汚れを粘着テープローラーＡ，Ｂの表面に付着させて除去できるが、同じ清拭面Ｓを一回の清拭操作で前後２回の付着作用が行われるので、片側の粘着テープローラーＡまたはＢの粘着面への付着効果が従来の一連のものに比し、清拭作業が短時間でより有効に行うことができる。特に、汚れのひどい絨毯，マット等の清拭に有効である。
【００２６】
つぎに、（ｂ），（ｃ）及び（ｄ）の場合について説明する。
【００２７】
（ｂ）の場合は、２連の粘着テープローラーの前方の粘着テープローラーＡで、まず一回の清拭作業を主に行い、ついで、（ｃ）の状態にして後方の粘着テープローラーＢを単独に使用できる。
【００２８】
また、（ｄ）の様に二連の粘着テープローラーＡ，Ｂを清拭面Ｓに対して垂直状態に起立させて使用することもできる。
【００２９】
そして、いずれの場合でも汚れが付着して粘着力が弱まって来たら表面の基材（紙等）を剥取して新しい粘着テープローラー面を露出させて同じ様に反覆して清拭作業を行うことができる。また、粘着テープローラーを使い切った時は、新しいものと交換して継続して使用に供することができる。
【００３０】
なお、支持杆４，４Ａを組込んだり外したりして、支持杆４の短尺の場合や支持杆４Ａで長尺の場合など、自由に長さを変えられるので、座った儘でも、また起立した状態でも自由に長さを可変して多様に使用できる。
【実施例２】
【００３１】
次に、図４（ａ），（ｂ），（ｃ）の図面を参考にして、前記実施例１と基本的な二連構成の粘着テープローラーＡ，Ｂを二連の支持回転筒１ａ，１ｂに挿着して連杆部３よりコ字状の軸２ａ，２ｂを支点として同時ないし各別に回転させて各種の床面（清拭面Ｓ）上を転動させて、汚れを粘着掃除するという構成，作用は同一であるが、前記コ字状の軸２ａ，２ｂを支持する連杆部３に設けられる支持杆４の構成に新たな構成を設けた点を特徴とするものである。
【００３２】
実施例１と同一の構成部分は、同一符号を符し、説明の重複を省く。
【００３３】
前記実施例１では、支持杆４の基端４ａは、連杆部３に一体的に熔接して構成したが、この実施例２では、支持杆４の基端４ａを直角に曲折し、連杆部３に熔着した管体７に挿通して軸支させ、基端を溶着固定させた扇形板８に沿って回動自在の可傾を可能としている。
【００３４】
また、前記扇形板８には基端４ａを軸心とする円弧孔９が穿設され、この円弧孔９に挿通させる螺杆１０の基端を支持杆４に捲回してネジ止め１１により好みの位置で固定し、当板１２，１２を介して蝶ナット１３で好みの傾斜角度αを保持できる。１４は、当板１２を係止できる固定ナット、１５は蝶ナット１３の抜脱を防ぐ帽体、１６は扇形板８の表面に示した傾斜角度の目盛りを示す。
【００３５】
叙上のように成るので、使用者は蝶ナット１３を操作して緊締を緩め、支持杆４を基端４ａを支点として回転し、好みの角度αを選んで再度蝶ナット１３を緊締して何時でも自由に設定して使い易い傾斜角度を決めることができる。
【００３６】
以上、この発明の実施例を説明したが、二連の前後の粘着型テープローラーＡ，Ｂは粘着強度を異にするものを使用して動物の毛やダニ等の汚れに対応した状態で使用したり、必要に応じては前後の粘着テープローラーの大きさ径が異なる製品でも使用可能である。
【符号の説明】
【００３７】
１ａ，１ｂ  支持回転筒
２ａ，２ｂ  軸
３          連杆部
４，４Ａ    支持杆
４ａ        基端
５          把持部
６          挿込孔
７          管体
８          扇形板
９          円弧孔
１０        螺杆
１１        ネジ止め
１２        当板
１３        蝶ナット
１４        固定ナット
１５        帽体
１６        目盛り
Ａ，Ｂ      粘着テープローラー
Ｓ        清拭面
ｌ        間隔
α        傾斜角度
【図１】
2012120779.tif 000003
【図２】
2012120779.tif 000004
【図３】
2012120779.tif 000005
【図４】
2012120779.tif 000006